(57)【特許請求の範囲】
【請求項１】
枠と、枠内に摺動可能に設けた障子とを備えるサッシの断熱性能の変更方法であって、障子は、框が樹脂製の障子と、框が金属と樹脂の複合材よりなる障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属と樹脂の複合材よりなる障子を選択した場合には、金属枠又は金属と樹脂の複合枠の内周面に樹脂製のカバー材を取付けることを特徴とするサッシの断熱性能の変更方法。
【請求項２】
枠と、枠内に摺動可能に設けた障子とを備えるサッシの断熱性能の変更方法であって、障子は、框が樹脂製の障子と、框が金属製の障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属製の障子を選択した場合には、金属枠又は金属と樹脂の複合枠の内周面に樹脂製のカバー材を取付けることを特徴とするサッシの断熱性能の変更方法。
【請求項３】
枠と、枠内に摺動可能に設けた障子とを備えるサッシの断熱性能の変更方法であって、障子は、框が樹脂製の障子と、框が金属製の障子と、框が金属と樹脂の複合材よりなる障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属製の障子又は框が金属と樹脂の複合材よりなる障子を選択した場合には、金属枠又は金属と樹脂の複合枠の内周面に樹脂製のカバー材を取付けることを特徴とするサッシの断熱性能の変更方法。
【発明の詳細な説明】
【技術分野】
【０００１】
本発明は、枠と、枠内に摺動可能に設けた障子とを備えるサッシの断熱性能の変更方法に関する。
【背景技術】
【０００２】
従来のサッシには、枠と障子の框がアルミで形成されたいわゆるアルミサッシと、枠と障子の框がアルミと樹脂の複合材よりなるアルミ・樹脂複合サッシと、枠と障子の框が樹脂で形成された樹脂サッシとがある。サッシの断熱性能は、アルミサッシ、アルミ・樹脂複合サッシ、樹脂サッシの順に高くなるが、各々の断熱性能に大きな隔たりがあり、それらの中間の断熱性能を有するサッシが求められている。樹脂サッシとその他のサッシとは、これまで個別に設計されており、両者の枠と障子に互換性はなかった。
【発明の概要】
【発明が解決しようとする課題】
【０００３】
本発明は以上に述べた実情に鑑み、コストを抑えつつ断熱性能にバリエーションを持たせられるサッシの断熱性能の変更方法の提供を目的とする。
【課題を解決するための手段】
【０００４】
上記の課題を達成するために請求項１記載の発明によるサッシの断熱性能の変更方法は、枠と、枠内に摺動可能に設けた障子とを備えるサッシの断熱性能の変更方法であって、障子は、框が樹脂製の障子と、框が金属と樹脂の複合材よりなる障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属と樹脂の複合材よりなる障子を選択した場合には、金属枠又は金属と樹脂の複合枠の内周面に樹脂製のカバー材を取付けることを特徴とする。
【０００５】
請求項２記載の発明によるサッシの断熱性能の変更方法は、枠と、枠内に摺動可能に設けた障子とを備えるサッシの断熱性能の変更方法であって、障子は、框が樹脂製の障子と、框が金属製の障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属製の障子を選択した場合には、金属枠又は金属と樹脂の複合枠の内周面に樹脂製のカバー材を取付けることを特徴とする。
【０００６】
請求項３記載の発明によるサッシの断熱性能の変更方法は、枠と、枠内に摺動可能に設けた障子とを備えるサッシの断熱性能の変更方法であって、障子は、框が樹脂製の障子と、框が金属製の障子と、框が金属と樹脂の複合材よりなる障子のうちのいずれかを選択し、枠は、金属枠又は金属と樹脂の複合枠であって、框が樹脂製の障子を選択した場合には、金属枠又は金属と樹脂の複合枠に樹脂製のレール補助材を取付けてレールの見込み寸法を増加し、框が金属製の障子又は框が金属と樹脂の複合材よりなる障子を選択した場合には、金属枠又は金属と樹脂の複合枠の内周面に樹脂製のカバー材を取付けることを特徴とする。
【発明の効果】
【０００７】
請求項１記載の発明によるサッシの断熱性能の変更方法は、金属枠又は金属と樹脂の複合枠にレール補助材又はカバー材のいずれかを選択して取付けることで、框が樹脂製の障子と、框が金属と樹脂の複合材よりなる障子とを相互に載せ替えることができ、断熱性能にバリエーションを持たせられる。いずれの障子を選択する場合も、金属枠又は金属と樹脂の複合枠は共通なため、コストを抑えることができ、樹脂製の枠を使用する場合と比較して、面格子付きやシャッター付きなどのバリエーション展開も容易である。
【０００８】
請求項２記載の発明によるサッシの断熱性能の変更方法は、金属枠又は金属と樹脂の複合枠にレール補助材又はカバー材のいずれかを選択して取付けることで、框が樹脂製の障子と、框が金属製の障子とを相互に載せ替えることができ、断熱性能にバリエーションを持たせられる。いずれの障子を選択する場合も、金属枠又は金属と樹脂の複合枠は共通なため、コストを抑えることができ、樹脂製の枠を使用する場合と比較して、面格子付きやシャッター付きなどのバリエーション展開も容易である。
【０００９】
請求項３記載の発明によるサッシの断熱性能の変更方法は、金属枠又は金属と樹脂の複合枠にレール補助材又はカバー材のいずれかを選択して取付けることで、框が樹脂製の障子と、框が金属製の障子と、框が金属と樹脂の複合材よりなる障子とを相互に載せ替えることができ、断熱性能にバリエーションを持たせられる。いずれの障子を選択する場合も、金属枠又は金属と樹脂の複合枠は共通なため、コストを抑えることができ、樹脂製の枠を使用する場合と比較して、面格子付きやシャッター付きなどのバリエーション展開も容易である。
【図面の簡単な説明】
【００１０】
【図１】金属と樹脂の複合枠に樹脂障子を収めた引違いサッシの縦断面図である。
【図２】金属と樹脂の複合枠に樹脂障子を収めた引違いサッシの横断面図である。
【図３】金属と樹脂の複合枠に金属と樹脂の複合障子を収めた引違いサッシの縦断面図である。
【図４】金属と樹脂の複合枠に金属と樹脂の複合障子を収めた引違いサッシの横断面図である。
【図５】金属枠に樹脂障子を収めた引違いサッシの縦断面図である。
【図６】金属枠に金属障子を収めた引違いサッシの縦断面図である。
【図７】金属枠に金属障子を収めた引違いサッシの横断面図である。
【図８】樹脂枠に樹脂障子を収めた引違いサッシを示す参考縦断面図である。
【図９】樹脂枠に樹脂障子を収めた引違いサッシを示す参考横断面図である。
【発明を実施するための形態】
【００１１】
以下、本発明の実施の形態を図面に基づいて説明する。図１〜４は本発明の実施形態であって、躯体開口部１０に取付けられる枠１と、枠１内に引違い状に開閉自在に納めた外障子２及び内障子３とを備える引違いサッシを示している。図１，２は枠１が金属と樹脂の複合枠１ａで、障子２，３は框が樹脂で形成された樹脂障子２ａ，３ａの場合であり、図３，４は枠１が金属と樹脂の複合枠１ａで、障子２，３は框が金属と樹脂の複合材よりなる複合障子２ｂ，３ｂの場合である。本サッシは、共通の金属と樹脂の複合枠１ａを用い、障子２，３を樹脂障子２ａ，３ａ、金属と樹脂の複合障子２ｂ，３ｂ、金属障子２ｃ，３ｃ（図６，７参照）のうちから選択することで、断熱性能を変化させられるものである。
【００１２】
まず、枠１が金属と樹脂の複合枠１ａで、障子２，３が樹脂障子２ａ，３ａの場合について説明する。枠１は、上枠１１と下枠１２と左右の竪枠１３ａ，１３ｂとを枠組みして構成してある。下枠１２は、図１に示すように、アルミニウム合金の押出形材よりなる室外側下枠材１４ａ及び室内側下枠材１４ｂを、樹脂製の断熱材１５で連結した構造となっている。室外側下枠材１４ａは内周側面に外障子２を案内する外レール１６を突出して有し、室内側下枠材１４ｂは内周側面に内障子３を案内する内レール１７を突出して有している。さらに下枠１２は、内周側面の外レール１６と内レール１７の間と、内レール１７の室内側とに、樹脂製のレール補助材４ａ，４ｂを取付けてある。
内外レール１６，１７間のレール補助材４ａは、突片１８により下枠１２の内周側面より浮かせて配置される基板部１９と、基板部１９の室外側より突出するＬ字形断面の突出部２０を有している。突出部２０は、先端部が室外側下枠材１４ａの外レール１６先端の戸車を受ける膨らみ部２１の下方の室内側面に当接し、室外側下枠材１４ａの外レール１６とレール補助材４ａの突出部２０とが合わさって、樹脂障子２ａに対応した幅広の外レール部２３を形成している。このように突出部２０により外レール１６の見込み寸法を増加させると共に、室外側下枠材１４ａの外レール１６の室内側に空間部６を形成している。このレール補助材４ａは、基板部１９の室外側端部を室外側下枠材１４ａの外レール１６に形成された突起２２に係合し、基板部１９の室内側端部を室内側下枠材１４ｂの内レール１７の根元部分に形成された凹部２４に係合することで、内周側から着脱自在に取付けてある。
内レール１７室内側のレール補助材４ｂは、突片７８により下枠１２の内周側面より浮かせて配置される基板部２５と、基板部２５の室外側より突出するＬ字形断面の突出部２６と、基板部２５の室内側端部に形成されたアングル部２７とを有している。突出部２６は、先端部が室内側下枠材１４ｂの内レール１７先端の戸車を受ける膨らみ部２１の下方の室内側面に当接し、室内側下枠材１４ｂの内レール１７とレール補助材４ｂの突出部２６とが合わさって、樹脂障子３ａに対応した幅広の内レール部３０を形成している。このように突出部２６により内レール１７の見込み寸法を増加させると共に、室内側下枠材１４ｂの内レール１７の室内側に空間部６を形成している。このレール補助材４ｂは、室内側下枠材１４ｂの内レール１７と室内側壁２８の間に内周側から嵌め込み、アングル部２７を躯体の内周縁部にネジ２９で固定して取付けてあり、内周側から着脱自在となっている。
このように下枠１２は、樹脂製のレール補助材４ａ，４ｂを取付けることで、外レール部２３と内レール部３０の見込み寸法を、図８に示す樹脂枠１ｃの下枠１２の外レール部２３と内レール部３０と略同じにしている。外レール部２３と内レール部３０のピッチも、樹脂枠１ｃの下枠１２と同一である。
【００１３】
上枠１１は、図１に示すように、アルミニウム合金の押出形材よりなる室外側上枠材３１ａ及び室内側上枠材３１ｂを、樹脂製の断熱材３２で連結した構造となっている。室外側上枠材３１ａは内周側面に外障子２を案内する外レール３３を突出して有し、室内側上枠材３１ｂは内周側面に内障子３を案内する内レール３４を突出して有している。さらに上枠１１は、内周側面の外レール３３と内レール３４の間と、内レール３４の室内側とに、樹脂製のレール補助材５ａ，５ｂを取付けてある。
内外レール３３，３４間のレール補助材５ａは、突片３５により上枠１１の内周側面より浮かせて配置される基板部３６と、基板部３６の室外側より室外側上枠材３１ａの外レール３３の室内側面に沿うように突出する中空状の突出部３７を有し、室外側上枠材３１ａの外レール３３とレール補助材５ａの突出部３７とが合わさって、樹脂障子２ａに対応した幅広の外レール部３８を形成している。このように突出部３７により外レール３３の見込み寸法を増加させると共に、室外側上枠材３１ａの外レール３３の室内側に空間部６を形成している。このレール補助材５ａは、基板部３６の室外側と室内側端部に形成された係合片３９ａ，３９ｂを、室外側上枠材３１ａの外レール３３と室内側上枠材３１ｂの内レール３４に形成された突起にそれぞれ係合することで、内周側から着脱自在に取付けてある。
内レール３４室内側のレール補助材５ｂは、上枠１１の内周側面より浮かせて配置される基板部４１と、基板部４１の室外側より室内側上枠材３１ｂの内レール３４の室内側面に沿うように突出する中空状の突出部４２と、基板部４１の室内側端部に形成されたアングル部４３とを有している。突出部４２は、先端部に室内側上枠材３１ｂの内レール３４の先端部に係合する係合部４４を有し、室内側上枠材３１ｂの内レール３４とレール補助材５ｂの突出部４２とが合わさって、樹脂障子２ｂに対応した幅広の内レール部４５を形成している。このように突出部４２により内レール３４の見込み寸法を増加させると共に、室内側上枠材３１ｂの内レール３４の室内側に空間部６を形成している。このレール補助材５ｂは、室内側上枠材３１ｂの内レール３４と室内側壁４６の間に内周側から嵌め込み、突出部４２の先端と基板部４１の室外側及び室内側端部の３箇所を室内側上枠材３１ｂに係合すると共に、基板部４１とアングル部４３をネジ２９，４７で躯体に固定して取付けてあり、内周側から着脱自在となっている。
このように上枠１１は、樹脂製のレール補助材５ａ，５ｂを取付けることで、外レール部３８と内レール部４５の見込み寸法を、図８に示す樹脂枠１の上枠１１の外レール部３８と内レール部４５と略同じにしている。外レール部３８と内レール部４５のピッチも、樹脂枠１ｃの上枠１１と同一である。
【００１４】
室内側から見て左側の竪枠１３ａは、図２に示すように、アルミニウム合金の押出形材よりなる竪枠材４８ａと、竪枠材４８ａの室内側の内周側面を被う樹脂製のカバー材４９ａ，４９ｂとで構成され、カバー材４９ａ，４９ｂは室内外方向に二分割されている。竪枠材４８ａは、内周側面の室外側寄りの位置に突出片５０を有し、内周側面の室内外方向の中間位置と室内側寄りの位置とに鉤状の係合片５１ａ，５１ｂを有している。
室外側のカバー材４９ａは、室外側端部に中空状の突出部５２が形成され、竪枠材４８ａの突出片５０と突出部５２とが合わさって、外障子２を閉めたときに外障子２の戸先框５３ａと係合する係合部５４ａを形成している。さらに室外側のカバー材４９ａは、室内側の端部に内周側に突出する突出片５５を有し、この突出片５５は後述する室内側から見て右側の竪枠材４８ｂの突出片５６と見込み方向の同じ位置に位置している。室外側のカバー材４９ａは、竪枠材４８ａの係合片５１ａにネジ５７で固定してある。
室内側のカバー材４９ｂは、竪枠材４８ａの内周側面に当接する基板部５８と、室外側端部に設けた中空状の突出部５９と、室内側端部に設けたアングル部６０を有しており、突出部５９は室外側のカバー材４９ａの突出片５５に当接している。室内側のカバー材４９ｂは、突出部５９の外周側を竪枠材４８ａの係合片５１ｂに係合し、基板部５８とアングル部６０を躯体にネジ２９，４７で固定して取付けてある。
室内側から見て右側の竪枠１３ｂは、アルミニウム合金の押出形材よりなる竪枠材４８ｂと、竪枠材４８ｂの室内側の内周側面を被う樹脂製のカバー材４９ｃとで構成され、カバー材４９ｃは左側の竪枠１３ａの室内側のカバー材４９ｂと断面形状が同一である。竪枠材４８ｂは、内周側面の室内側寄りの位置に突出片５６を有し、この突出片５６とカバー材４９ｃの突出部５９とが合わさって、内障子３を閉めたときに内障子３の戸先框５３ｂと係合する係合部５４ｂを形成している。カバー材４９ｃは、突出部５９の外周側を竪枠材４８ｂの突出片５６の付け根の凹部６１に係合し、基板部５８とアングル部６０を躯体にネジ２９，４７で固定して取付けてある。
このように左右の竪枠１３ａ，１３ｂは、金属製の竪枠材４８ａ，４８ｂの内周側に樹脂製のカバー材４９ａ，４９ｂ，４９ｃを取付けることで、係合部５４ａ，５４ｂの見込み寸法を図５に示す樹脂枠１ｃの竪枠１３ａ，１３ｂの係合部５４ａ，５４ｂと略同じにしている。なおカバー材４９ａ，４９ｂ，４９ｃは、いずれも枠１の内周側から着脱自在である。
【００１５】
外障子２と内障子３は、図１，２に示すように、合成樹脂の押出材よりなる上框６２ａ，６２ｂと下框６３ａ，６３ｂと戸先框５３ａ，５３ｂと召し合せ框６４ａ，６４ｂとを、端部を斜め４５°に切断して突き合わせて溶着することで矩形に框組みし、その内側に複層ガラス６５を納め、室外側に押縁６６を取付けて複層ガラス６５を保持してある。上框６２ａ，６２ｂと下框６３ａ，６３ｂと戸先框５３ａ，５３ｂは、断面形状が同一なものであり、外周側に枠１に向かって開放した溝部６７を有し、溝部６７の開放端側の室外側と室内側とにタイト材ホルダー６８が設けてある。障子２，３は、矩形に框組みした後に上框６２ａ，６２ｂと戸先框５３ａ，５３ｂと下框６３ａ，６３ｂの室外側と室内側のタイト材ホルダー６８にゴム質のタイト材６９が連続して取付けられ、タイト材６９のヒレ片が上枠１１と下枠１２の外レール部２３，３８と内レール部３０，４５と竪枠１３ａ，１３ｂの係合部５４ａ，５４ｂの室外側面と室内側面に当接することで、内外障子２，３と枠１の間をシールしている。
【００１６】
外障子２の召し合せ框６４ａは、図２に示すように、外周側に開放した溝部７０を有し、溝部７０の開放端側に形成された鉤状の係合片７１に係合して、カバー材７２ａが外周側面と室内側面とに跨って取付けてある。内障子３の召し合せ框６４ｂも、外周側に開放した溝部７０を有し、溝部７０の開放端側に形成された鉤状の係合片７１に係合して、カバー材７２ｂが外周側面と室外側面とに跨って取付けてある。各カバー材７２ａ，７２ｂには、室内外方向に突出するヒレ片７９ａ，７９ｂを有しており、ヒレ片７９ａ，７９ｂが対向する他方の框に当接することで、内外障子の召し合せ框６４ａ，６４ｂの間をシールしている。
【００１７】
次に、枠１が金属と樹脂の複合枠１ａで、障子２，３が金属と樹脂の複合障子２ｂ，３ｂの場合について説明する。枠１は、ベースとなる金属と樹脂の複合枠１ａは上述の樹脂障子２ａ，３ａの場合の実施形態と共通であり、枠の内周側に取付ける樹脂部材が異なっている。
下枠１２は、図３に示すように、内周側の外レール１６と内レール１７の間と、内レール１７の室内側とに、樹脂製のカバー材７６ａ，７６ｂを取付けている。レール１６，１７間のカバー材７６ａは、先に説明したレール補助材４ａの突出部２０の無いものに相当し、板状の基板部１９の室外側と室内側の端部を外レール１６の突起２２と内レール１７の根元の凹部２４に係合させて、内周側から着脱自在に取付けてある。内レール１７の室内側のカバー材７６ｂは、突片７８により下枠１２の内周側面より浮かせて配置される基板部２５と、基板部２５の室外側より突出する突出部２６と、基板部２５の室内側端部に形成されたアングル部２７とを有しており、突出部２６は内レール１７の室内側に寄り沿うように配置され、内レール１７の室内側面を被覆している。このカバー材７６ｂは、室内側下枠材１４ｂの内レール１７と室内側壁２８の間に内周側から嵌め込み、アングル部２７を躯体の内周縁部にネジ２９で固定して取付けてあり、内周側から着脱自在となっている。
上枠１１も、内周側の外レール３３と内レール３４の間と、内レール３４の室内側とに、樹脂製のカバー材７５ａ，７５ｂを取付けている。レール３３，３４間のカバー材７５ａは、先に説明したレール補助材５ａの突出部６の無いものに相当し、基板部３６の室外側と室内側端部に形成された係合片３９ａ，３９ｂを、室外側上枠材３１ａの外レール３３と室内側上枠材３１ｂの内レール３４に形成された突起にそれぞれ係合することで、内周側から着脱自在に取付けてある。内レール１７の室内側のカバー材７５ｂは、基板部４１と、基板部４１の室外側より突出する突出部４２と、基板部４１の室内側端部に形成されたアングル部４３とを有しており、突出部４２は係合部４４を内レール３４の先端部に係合して内レール３４の室内側に寄り沿うように配置され、内レール３４の室内側面を被覆している。このカバー材７５ｂは、室内側上枠材３１ｂの内レール３４と室内側壁４６の間に内周側から嵌め込み、突出部４２の先端と基板部４１の室外側及び室内側端部の３箇所を室内側上枠材３１ｂに係合すると共に、基板部４１とアングル部４３をネジ２９，４７で躯体に固定して取付けてあり、内周側から着脱自在となっている。
【００１８】
左右の竪枠１３ａ，１３ｂには、図４に示すように、内周側の室内側の部分を覆うように樹脂製のカバー材７７ａ，７７ｂが取付けてある。室内側から見て左側のカバー材７７ａは、内障子２よりも室内側に配置され、竪枠材４８ａの係合片５１ａ，５１ｂに係合し、アングル部６０を躯体にネジ２７で固定して、内周側から着脱自在に取付けてある。室内側から見て右側のカバー材７７ｂは、竪枠材４８ｂの突出片５６の室内側に配置され、室外側端部を突出片５６の付け根の凹部６１に係合し、アングル部６０を躯体にネジ２９で固定して、内周側から着脱自在に取付けてある。
【００１９】
障子２，３は、図３，４に示すように、上框６２ａ，６２ｂと下框６３ａ，６３ｂと戸先框５３ａ，５３ｂが、室外側のアルミ製框材８１と室内側の樹脂製框材８２を結合して構成され、外障子２の召し合せ框６４ａがアルミ製框材８１で形成され、内障子３の召し合せ框６４ｂがアルミ製框材８１とその室内側を覆う樹脂製框材８２を結合して構成された、金属と樹脂の複合障子２ｂ，３ｂとなっている。なお、金属と樹脂の複合障子２ｂ，３ｂに替えて、図６，７に示すような、各框がアルミ製框材８１のみで構成された金属障子２ｃ，３ｃを金属と樹脂の複合枠１ａに収めることもできる。
【００２０】
以上に述べたように本サッシは、共通の金属と樹脂の複合枠１ａを用い、上枠１１と下枠１２の内周側にレール補助材４ａ，４ｂ，５ａ，５ｂ又はカバー材７５ａ，７５ｂ，７６ａ，７６ｂのいずれかを選択して取付けることで、樹脂障子２ａ，３ａと金属と樹脂の複合障子２ｂ，３ｂと金属障子２ｃ，３ｃとを相互に載せ替えることができ、これにより断熱性能にバリエーションを持たせられる。いずれの障子を選択する場合も金属と樹脂の複合枠１ａは共通なため、コストを抑えることができ、樹脂枠１ｃ（図８，９参照）を使用する場合と比較して、強度や耐火性能が高く、面格子付きやシャッター付きなどのバリエーション展開も容易である。樹脂障子２ａ，３ａを選択する場合の金属と樹脂の複合枠１ａは、レール補助材４ａ，４ｂ，５ａ，５ｂにより各レール１６，１７，３３，３４の見込み寸法を増加させているため、樹脂障子２ａ，３ａのタイト材６９がレールに当接し、水密性や気密性を確保できる。また、レール補助材４ａ，４ｂ，５ａ，５ｂにより各レール１６，１７，３３，３４の室内側に空間部６を形成してあるため、空間部６の空気層により、従来の複合枠や金属枠を用いた場合よりも断熱性能が向上する。
【００２１】
上述の実施形態では、枠１が金属と樹脂の複合枠１ａであったが、枠１が金属枠１ｂの場合であっても、同様に樹脂障子２ａ，３ａと金属と樹脂の複合障子２ｂ，３ｂと金属障子２ｃ，３ｃとを相互に載せ替えることができる。
図５は、金属枠１ｂに樹脂障子２ａ，３ａを納めた引違いサッシを示している。この場合は、上枠１１と下枠１２にアルミニウム合金の押出形材で一体成形した断熱材を介在しない上枠材７３と下枠材７４を用いており、上枠材７３と下枠材７４の内周側に複合枠１ａの場合（図１）と同様に樹脂製のレール補助材４ａ，４ｂ，５ａ，５ｂを取付けている。上枠１１と下枠１２の外形は、複合枠１ａと同一である。横断面は図２と同じなので省略する。
【００２２】
図６，７は、金属枠１ｂに金属障子２ｃ，３ｃを納めた引違いサッシを示している。金属枠１ｃの内周側には、金属と樹脂の複合枠１ａの場合（図３，４）と同様に、樹脂製のカバー材７５ａ，７５ｂ，７６ａ，７６ｂ，７７ａ，７７ｂを取付けている。障子２，３は、各框５３ａ，５３ｂ，６２ａ，６２ｂ，６３ａ，６３ｂ，６４ａ，６４ｂがアルミ製框材８１のみで形成された金属障子２ｃ，３ｃとなっている。なお、金属障子２ｃ，３ｃの代わりに、金属と樹脂の複合障子２ｂ，３ｂ（図３，４参照）を金属枠１ｃに収めることもできる。
【００２３】
このように共通の金属枠１ｃを用い、上枠１１と下枠１２の内周側にレール補助材４ａ，４ｂ，５ａ，５ｂ又はカバー材７５ａ，７５ｂ，７６ａ，７６ｂのいずれかを選択して取付けることで、樹脂障子２ａ，３ａと金属と樹脂の複合障子２ｂ，３ｂと金属障子２ｃ，３ｃとを相互に載せ替えることができ、これにより断熱性能にバリエーションを持たせられる。いずれの障子を選択する場合も金属枠１ｃは共通なため、コストを抑えることができ、樹脂枠１ｃ（図８，９参照）を使用する場合と比較して、強度や耐火性能が高く、面格子付きやシャッター付きなどのバリエーション展開も容易である。樹脂障子２ａ，３ａを選択する場合の金属枠１ｂは、レール補助材４ａ，４ｂ，５ａ，５ｂにより各レール１６，１７，３３，３４の見込み寸法を増加させているため、樹脂障子２ａ，３ａのタイト材６９がレールに当接し、水密性や気密性を確保できる。また、レール補助材４ａ，４ｂ，５ａ，５ｂにより各レール１６，１７，３３，３４の室内側に空間部６を形成してあるため、空間部６の空気層により、従来の金属枠を用いた場合よりも断熱性能が向上する。
【００２４】
以上に述べたように、枠１は金属と樹脂の複合枠１ａと金属枠１ｂの２種類から選択でき、そのいずれについても障子２，３を樹脂障子２ａ，３ａと金属と樹脂の複合障子２ｂ，３ｂと金属障子２ｃ，３ｃの３種類から選択することで、枠１と障子２，３の組合わせを６種類から選択でき、断熱性能のバリエーションが豊富になる。さらに、樹脂枠１ｃと樹脂障子２ａ，３ａの組合せも合わせると、計７種類から断熱性能を選択できることになる。
【００２５】
本発明は以上に述べた実施形態に限定されない。上枠１１や下枠１２、レール補助材４ａ，４ｂ，５ａ，５ｂやカバー材７５ａ，７５ｂ，７６ａ，７６ｂの断面形状は、適宜変更することができる。実施形態のものは、障子２，３を樹脂障子２ａ，３ａと金属と樹脂の複合障子２ｂ，３ｂと金属障子２ｃ，３ｃの３種類から選択できるようにしているが、樹脂障子２ａ，３ａと金属と樹脂の複合障子２ｂ，３ｂの２種類から選択するものや、樹脂障子２ａ，３ａと金属障子２ｃ，３ｃの２種類から選択するものであってもよい。障子は一枚や三枚以上であってもよく、また、外障子２と内障子３のどちらか一方を枠１に固定した片引きサッシとすることもできる。また、障子が竪枠１３ａ，１３ｂに沿って摺動するサッシにも適用することができる。
【符号の説明】
【００２６】
１  枠
１ａ  金属と樹脂の複合枠
１ｂ  金属枠
１ｃ  樹脂枠
２  外障子（障子）
２ａ  樹脂障子
２ｂ  金属と樹脂の複合障子
２ｃ  金属障子
３  内障子（障子）
３ａ  樹脂障子
３ｂ  金属と樹脂の複合障子
３ｃ  金属障子
４ａ，４ｂ  レール補助材（下枠側）  
５ａ，５ｂ  レール補助材（上枠側）
６  空間部
１６，３３  外レール（レール）
１７，３４  内レール（レール）
７５ａ，７５ｂ  カバー材（上枠側）
７６ａ，７６ｂ  カバー材（下枠側）
【図１】
0005912027.tif 000002
【図２】
0005912027.tif 000003
【図３】
0005912027.tif 000004
【図４】
0005912027.tif 000005
【図５】
0005912027.tif 000006
【図６】
0005912027.tif 000007
【図７】
0005912027.tif 000008
【図８】
0005912027.tif 000009
【図９】
0005912027.tif 000010